(57)【要約】【課題】車いす利用者でも車いすに座った楽な姿勢のままで園芸や菜園を楽しめるスタンド花壇を提供すること。【解決手段】スタンド部１の上部にテーブル部２を設けて、このテーブル部２の周囲に車いすに座った人Ｈの下半身が出入できる車いす用出入空間部３を形成し、このテーブル部２上に花や野菜などの植物４を栽培する園芸用若しくは菜園用などの栽培用花壇部５を立設し、この栽培用花壇部５の高さが車いすに座った人Ｈが作業できる高さに設定したスタンド花壇。【選択図】図１
2010252762.tif 000002
【特許請求の範囲】
【請求項１】
スタンド部の上部にテーブル部を設けて、このテーブル部の周囲に車いすに座った人の下半身が出入できる車いす用出入空間部を形成し、このテーブル部上に花や野菜などの植物を栽培する園芸用若しくは菜園用などの栽培用花壇部を立設し、この栽培用花壇部の高さが車いすに座った人が作業できる高さに設定したことを特徴とするスタンド花壇。
【請求項２】
前記スタンド部は、接地部の中央に前記テーブル部を支持するスタンド支柱を設けた構成として、前記テーブル部の全周に前記車いす用出入空間部を形成したことを特徴とする請求項１記載のスタンド花壇。
【請求項３】
前記テーブル部を前記スタンド部に対して水平回転自在に設けて、前記栽培用花壇部を水平回転自在に設けたことを特徴とする請求項１，２のいずれか１項に記載のスタンド花壇。
【請求項４】
前記テーブル部上に車両のタイヤを載置し、このタイヤ内の空間部に栽培用の土を収納して前記栽培用花壇部を構成したことを特徴とする請求項１〜３のいずれか１項に記載のスタンド花壇。
【発明の詳細な説明】
【技術分野】
【０００１】
本発明は、車いす利用者でも園芸や菜園を楽しめるスタンド花壇に関するものである。
【背景技術】
【０００２】
園芸用や菜園用の花壇は、通常、地面の低い位置に形成されているため、土や植物に直接触れるような作業を行うためには、低い姿勢を伴っての作業が必要になる。
【０００３】
そのため、車いす利用者のように、低い姿勢をとることが困難な人々は、園芸や菜園に親しむ機会が少なく、また機会があっても非常に辛い姿勢を強いられるものとなってしまっていた。
【発明の概要】
【発明が解決しようとする課題】
【０００４】
本発明は、このような現状に鑑みて発案されたもので、車いす利用者でも車いすに座った楽な姿勢のままで園芸や菜園を楽しめる画期的なスタンド花壇を提供するものである。
【課題を解決するための手段】
【０００５】
添付図面を参照して本発明の要旨を説明する。
【０００６】
スタンド部１の上部にテーブル部２を設けて、このテーブル部２の周囲に車いすに座った人Ｈの下半身が出入できる車いす用出入空間部３を形成し、このテーブル部２上に花や野菜などの植物４を栽培する園芸用若しくは菜園用などの栽培用花壇部５を立設し、この栽培用花壇部５の高さが車いすに座った人Ｈが作業できる高さに設定したことを特徴とするスタンド花壇に係るものである。
【０００７】
また、前記スタンド部１は、接地部６の中央に前記テーブル部２を支持するスタンド支柱７を設けた構成として、前記テーブル部２の全周に前記車いす用出入空間部３を形成したことを特徴とする請求項１記載のスタンド花壇に係るものである。
【０００８】
また、前記テーブル部２を前記スタンド部１に対して水平回転自在に設けて、前記栽培用花壇部５を水平回転自在に設けたことを特徴とする請求項１，２のいずれか１項に記載のスタンド花壇に係るものである。
【０００９】
また、前記テーブル部２上に車両のタイヤ８を載置し、このタイヤ８内の空間部12に栽培用の土９を収納して前記栽培用花壇部５を構成したことを特徴とする請求項１〜３のいずれか１項に記載のスタンド花壇に係るものである。
【発明の効果】
【００１０】
本発明は上述のように構成したから、車いす利用者が車いすに座った楽な姿勢のままで園芸や菜園を楽しむことができる極めて実用性に秀れた画期的なスタンド花壇となる。
【００１１】
また、請求項２記載の発明においては、車いすに座った人が自由に動いて栽培用花壇部の広範囲で園芸若しくは菜園を楽しむことができる一層実用性に秀れた構成のスタンド花壇となる。
【００１２】
また、請求項３記載の発明においては、車いすに座った人が移動せずとも、テーブル部（栽培用花壇部）を回転させることで簡単に目的の栽培用花壇部位置を車いすに座った人のところまで動かすことができる一層実用性に秀れた構成のスタンド花壇となる。
【００１３】
また、請求項４記載の発明においては、例えば、廃タイヤを用いるなどして非常に安価に且つ簡易に栽培用花壇部を構成可能となる実現化が容易な一層実用性に秀れた構成のスタンド花壇となる。
【図面の簡単な説明】
【００１４】
【図１】本実施例の使用状態を示す斜視図である。
【図２】本実施例を示す斜視図である。
【図３】本実施例の分解斜視図である。
【図４】本実施例を示す、テーブル板と栽培用花壇部とを省略した平面図である。
【図５】本実施例を示す、昇降機構により栽培用花壇部を比較的低くした状態の説明側面図である。
【図６】本実施例を示す、昇降機構により栽培用花壇部を最も高くした状態の説明側面図である。
【図７】本実施例を示す、栽培用花壇部を省略した平面図である。
【発明を実施するための形態】
【００１５】
好適と考える本発明の実施形態（発明をどのように実施するか）を、図面に基づいて本発明の作用を示して簡単に説明する。
【００１６】
スタンド部１の上部にテーブル２を設けた本発明のスタンド花壇は、このテーブル部２の周囲に車いすに座った人Ｈの下半身が出入できる車いす用出入空間部３が形成されているため、この車いす用出入空間部３に、車いすに座った人Ｈがその下半身を入れてテーブル部２周囲に移動すると、車いすに座った人Ｈは、座ったままの姿勢でテーブル部２上に立設する栽培用花壇部５に臨むことができる。
【００１７】
そして、車いすに座った人Ｈが作業できる高さに設定されたこの栽培用花壇部５で、車いすに座った人Ｈが座ったままの楽な姿勢で土や植物４に親しむことができ、花や野菜などの植物４を栽培する園芸若しくは菜園を存分に楽しむことができる。
【００１８】
また、例えば、前記スタンド部１は、接地部６の中央に前記テーブル部２を支持するスタンド支柱７を設けた構成として、前記テーブル部２の全周に前記車いす用出入空間部３を形成すれば、デーブル部２の全周囲に車いすに座った人Ｈが動いていけるので、栽培用花壇部５の広範囲で園芸若しくは菜園を楽しむことができ、一層実用的となる。
【００１９】
また、例えば、前記テーブル部２を前記スタンド部１に対して水平回転自在に設けて、前記栽培用花壇部５を水平回転自在に設ければ、車いすに座った人Ｈが目的の栽培用花壇部５位置までテーブル部２の周囲を移動せずとも、テーブル部２（栽培用花壇部５）を回転させて簡単に目的の栽培用花壇部５位置を車いすに座った人Ｈのところまで動かすことができるので、一層実用的となる。
【００２０】
また、例えば、前記テーブル部２上に車両のタイヤ８を載置し、このタイヤ８内の空間部12に栽培用の土９を収納して前記栽培用花壇部５を構成すれば、例えば、廃タイヤ８を用いて非常に安価に栽培用花壇部５を実現可能であると共に、このタイヤ８内に土９を収納するだけで簡単に栽培用花壇部５を構成可能であるから、実現化が極めて容易な一層実用的な構成となる。
【実施例】
【００２１】
本発明の具体的な実施例について図面に基づいて説明する。
【００２２】
本実施例は、図１に示すように、スタンド部１の上部にテーブル部２を設けて、このテーブル部２の周囲に車いすに座った人Ｈの下半身が出入できる車いす用出入空間部３を形成し、このテーブル部２上に花や野菜などの植物４を栽培する園芸用若しくは菜園用などの栽培用花壇部５を立設し、この栽培用花壇部５の高さが車いすに座った人Ｈが作業できる高さに設定したことを特徴とするスタンド花壇に係るものである。
【００２３】
本実施例のスタンド部１は、図２，図３に示すように、接地部６の中央に前記テーブル部２を支持するスタンド支柱７を設けた構成として、前記テーブル部２の全周囲の下方であってスタンド支柱７の全周囲の空間部が、前記車いす用出入空間部３となるように構成している。
【００２４】
更に詳しくは、スタンド支柱７は、円筒状体に構成し、このスタンド支柱７の下端であって、このスタンド支柱７の中心から水平方向に略等角度を置いた数箇所（図面では略120度間隔を置いた三箇所）に、接地部６として採用した棒状の接着脚６Ａを、夫々をスタンド支柱７に対し水平放射方向に向けて突設した構成としている（図４参照。）。
【００２５】
また、この数箇所の接地脚６Ａは、夫々の先端部に固定杭10を挿通するための杭通部（筒孔）11を設けて、各接地脚６Ａを地面に接地した後、各杭通部11を介して複数（図面では三体）の固定杭10を地面に杭打ちすることで、接地部６を地面に固定可能な構成としている。
【００２６】
また、このスタンド支柱７の上部であって、このスタンド支柱７の中心から水平方向に略等角度を置いた数箇所（図面では略120度間隔を置いた三箇所）に、前記テーブル部２を支持する棒状の支持腕部13を、夫々をスタンド支柱７に対し水平放射方向に向けて突設している。
【００２７】
また、この数箇所の支持腕部13は、図４に示すように、夫々の先端部に前記テーブル部２の下面に接する支持車輪14を回動自在に軸支している。
【００２８】
また、本実施例のスタンド支柱７は、このスタンド支柱７上に支持するテーブル部２上の栽培用花壇部５が、車いすに座った人Ｈが上半身を起こしたままで作業できるような高さを有するように設定しているが、このスタンド支柱７には昇降機構15も備えている。
【００２９】
具体的には、スタンド支柱７は、図３に示すように、前記接地脚６Ａを備えた径大支柱部７Ａと、前記支持腕部13を備えた径小支柱部７Ｂから成り、径大支柱部７Ａに径小支柱部７Ｂをスライド自在に嵌挿した構成としている。
【００３０】
また、径大支柱部７Ａの周面の対向箇所であって、上下方向に間隔を置いた複数の対向箇所（図面では五箇所）にピン通し孔16を貫通形成する一方、径小支柱部７Ｂの周面の対向箇所（一箇所）にピン通し孔16と連通させる合わせ孔17を貫通形成している。
【００３１】
そして、ピン通し孔16と合わせ孔17と連通させ、この連通するピン通し孔16と合わせ孔17とに位置決めピン18を挿通係止することで、径大支柱部７Ａに対して径小支柱部７Ｂを位置決めできる構成とし、この際、位置決めピン18を挿通係止するピン通し孔16を五箇所から選択することで、径大支柱部７Ａ（接地部６）に対する径小支柱部７Ｂ（支持腕部13）の高さを五段階に昇降調整し得る前記昇降機構15を構成している（図５，図６参照。）。
【００３２】
また、スタンド支柱７の上端部、即ち径小支柱部７Ｂの上端部には、前記テーブル部２から垂設した取付軸19を軸支する軸受部20を設けている。また、この軸受部20は、ボールベアリング20Ａを採用している。
【００３３】
本実施例のテーブル部２は、前記径小支柱部７Ｂの中心部から前記支持車輪14までの幅寸法より広幅な半径寸法を有する円板体で構成し、この円板体の下面の中心部には、前記スタンド支柱７上端部の軸受部20に回動自在に軸支する取付軸19を垂設状態に突設している。
【００３４】
また、このテーブル部２のスタンド支柱７への支持構造は、テーブル部２の取付軸19をスタンド支柱７上端部の軸受部20に軸支すると共に、前記三箇所の支持腕部13の支持車輪14でテーブル部２の裏面を支持する構造としている。即ち、軸受部20と支持車輪14によりテーブル部２（栽培用花壇部５）をスタンド部１（スタンド支柱７）に対して水平回転自在に支持している。
【００３５】
また、このテーブル部２の外周縁であって、このテーブル部２の中心から水平方向に略等角度を置いた数箇所（図面では略120度間隔を置いた三箇所）に、コ字形枠状の操作ハンドル21を突設して、この操作ハンドル21を利用してテーブル部２を簡単に水平回転操作し得るように構成している。
【００３６】
また、このテーブル部２には、無数の水はけ穴22を貫通形成して、このテーブル部２上に立設する栽培用花壇部５に水を供給しても、この水はけ穴22から程無く排水がなされて、根腐れなどを生じない構成としている。
【００３７】
また、本実施例では、このテーブル部２上に車両のタイヤ８を横に寝かせて載置し、このタイヤ８内の空間部12に栽培用の土９を収納して前記栽培用花壇部５を構成している。即ち、タイヤ８の横幅分テーブル部２上に栽培用花壇部５が立設する構成としている。
【００３８】
具体的には、図７に示すように、テーブル部２の外径（直径）寸法よりやや径大な四輪車用のタイヤ８を採用して栽培用花壇部５を構成して、この栽培用花壇部５の外径をテーブル部２の外径より大きく設定した場合、即ちテーブル部２上を目一杯栽培用花壇部５として活用した場合を示している。
【００３９】
尚、栽培用花壇部５（タイヤ８）の外径よりテーブル部２の外径を大きく設定して、この栽培用花壇部５周囲のテーブル部２の上面周辺部に、園芸用具などを載置可能な載置スペースを設けても良い。また、本実施例では、タイヤ８を一個だけ用いて栽培用花壇部５を構成した場合を示したが、タイヤ８を上下方向に複数積み重ねて形成した、中央部の空間部12に栽培用の土９を収納して栽培用花壇部５を構成しても良い。
【００４０】
また、タイヤ８は、廃タイヤを利用するとコストがかからず、好ましい。
【００４１】
このように構成した本実施例によれば、前記昇降機構15により、栽培用花壇部５の高さを、車いすに座った人Ｈの体格などに応じて作業し易い高さに設定変更することが容易にできる。
【００４２】
尚、本発明は、本実施例に限られるものではなく、各構成要件の具体的構成は適宜設計し得るものである。
【符号の説明】
【００４３】
１  スタンド部
２  テーブル部
３  車いす用出入空間部
４  植物
５  栽培用花壇部
６  接地部
７  スタンド支柱
８  車両のタイヤ
９  栽培用の土
12  空間部
Ｈ  車いすに座った人
【図１】
2010252762.tif 000003
【図２】
2010252762.tif 000004
【図３】
2010252762.tif 000005
【図４】
2010252762.tif 000006
【図５】
2010252762.tif 000007
【図６】
2010252762.tif 000008
【図７】
2010252762.tif 000009